(57)【要約】【課題】    回転装置の磁石回転体、並びに磁石帯における磁石と磁石の相対する磁極のＮ極とＳ極に、相対位置のずれを与えて、回転装置を持続性のある回転運動に導く。【解決手段】  回転装置には遊星歯車装置を用いて、時計の長針と短針の如く連動して回転する回転比率の異なった遊星歯車装置の腕（Ａ）と遊星歯車装置の腕（Ｂ）を設け、その回転装置にＮ極とＳ極を交互に配置配列した磁石回転体（Ｃ）と磁石帯（Ｅ）を装着し、磁極と磁極の相対位置のずれを継続させ、磁石回転体（Ｃ）を回転させながら内歯車（３Ｂ）の内法を周回させる。【選択図】図１
2013046562.tif 000002
【特許請求の範囲】
【請求項１】
遊星歯車装置を設けたことを特徴とする回転装置。
【請求項２】
時計の長針と短針の如く連動して回転する回転比率の異なった遊星歯車装置の腕（Ａ）と遊星歯車装置の腕（Ｂ）を設けたことを特徴とする回転装置。
【請求項３】
磁石の磁力を回転エネルギー源とすることを特徴とする回転装置。
【請求項４】
磁石回転体と磁石帯の磁石配列はＮ極とＳ極を交互に配置配列することを特徴とする回転装置。
【請求項５】
磁石回転体と磁石帯の相対する磁極と磁極の相対位置のずれを連続して繰り返し、継続させることを特徴とする回転装置。
【発明の詳細な説明】
【技術分野】
【０００１】  この発明は、永久磁石の磁力を回転エネルギーに変換する回転装置に関する。
【発明の概要】
【発明が解決しようとする課題】
【０００２】  本発明は、磁石回転体、並びに環状の磁石帯を用いて、回転装置に持続性のある回転運動を発生させるため、磁石と磁石の相対し合うＮ極とＳ極に、相対位置のずれを与えるとき、相対位置に戻ろうとする力で、回転装置の回転軸を、回転運動に導くことを目的としている。
【課題を解決するための手段】
【０００３】以上の課題を解決するために、磁石回転体（Ｃ）と磁石帯（Ｅ）の磁極配列は、Ｎ極とＳ極を交互に配置配列するとよい。【０００４】また、回転装置には遊星歯車装置を用いて、その回転装置に磁石回転体（Ｃ）と磁石帯（Ｅ）を装着し、相対する磁極と磁極に生じる相互作用力において、磁極と磁極の相対位置のずれを連続して繰り返し、継続させるとよい。【０００５】そして、前記遊星歯車装置においては、既存の遊星歯車装置の腕（Ｂ）に対して、太陽歯車の軸（１Ａ）に新たな遊星歯車装置の腕（Ａ）を固着し、その遊星歯車装置の腕（Ａ）と、遊星歯車装置の腕（Ｂ）における回転比率に差を設け、時計の長針と短針の如く連動して回転する装置であるとよい。【０００６】そして、遊星歯車（２Ｃ）を固着した磁石回転体（Ｃ）は、太陽歯車の軸（１Ａ）に固着した遊星歯車装置の腕（Ａ）に装着し、また磁石帯（Ｅ）は台枠（Ｄ）に固着（固定式）する方法と、遊星歯車装置の腕（Ｂ）に固着（可動式）する二つの方法があり、ここでは前記、（固定式）で説明する。【０００７】そして前記、遊星歯車装置の腕（Ａ）に支持された遊星歯車（２Ｃ）と噛み合う内歯車（３Ｂ）は、遊星歯車装置の腕（Ｂ）に固着し、遊星歯車装置の腕（Ｂ）に支持された遊星歯車（２Ｂ）と噛み合う内歯車（３Ｄ）は、台枠（Ｄ）に固着するとよい。【０００８】また、磁石回転体（Ｃ）と磁石帯（Ｅ）の磁極と磁極における相対位置のずれによる相互作用力において、磁石回転体（Ｃ）に生じる磁力の合力は、太陽歯車の軸（１Ａ）を中心とする接線方向に作用し、その磁石回転体（Ｃ）は常時一方向への力が作用し続ける位置取りに装着するとよい。【０００９】そして、磁石回転体（Ｃ）に固着した遊星歯車（２Ｃ）の作用力を、遊星歯車装置の腕（Ｂ）に固着した内歯車（３Ｂ）で受け止めると同時に、その受け止めた作用力は、内歯車（３Ｂ）を介して遊星歯車装置の腕（Ｂ）に作用させるとよい。【００１０】この時、磁石回転体（Ｃ）に固着した遊星歯車（２Ｃ）は、遊星歯車装置の腕（Ｂ）に固着した内歯車（３Ｂ）に固定された状態ではなく、磁石回転体を支持する遊星歯車装置の腕（Ａ）に力が作用すれば、磁石回転体（Ｃ）の軸に固着した遊星歯車（２Ｃ）は容易に回転する静止状態であるとよい。【００１１】そしてまた、遊星歯車装置の腕（Ｂ）に作用した力は、遊星歯車（２Ｂ）を介して太陽歯車（２Ａ）へ作用させ、同時に、太陽歯車の軸（１Ａ）に固着した遊星歯車装置の腕（Ａ）へと作用させて、遊星歯車装置の腕（Ａ）に装着した磁石回転体（Ｃ）の軸へ作用させるとよい。【００１２】そして、遊星歯車装置の腕（Ａ）に作用する力が、遊星歯車装置の腕（Ａ）に支持された磁石回転体（Ｃ）の軸へ、同一方向への連続した力として作用するとき、回転する遊星歯車装置の腕（Ｂ）に固着した内歯車（３Ｂ）の内法に沿って、磁石回転体（Ｃ）を回転させながら周回させるとよい。【００１３】すなわち、磁石回転体（Ｃ）と磁石帯（Ｅ）の、磁極と磁極の相対位置のずれから生じる相互作用力において、磁石回転体（Ｃ）の磁力の合力を、磁石回転体（Ｃ）に固着した遊星歯車（２Ｃ）から、遊星歯車装置の腕（Ｂ）に固着した内歯車（３Ｂ）へ作用させ、また、内歯車（３Ｂ）を介してその力を遊星歯車装置の腕（Ｂ）へと作用させる。【００１４】その作用する力は、遊星歯車装置の腕（Ｂ）に支持された遊星歯車（２Ｂ）を介して太陽歯車（２Ａ）へ作用させ、また同時に、その力は太陽歯車の軸（１Ａ）に固着した遊星歯車装置の腕（Ａ）にも作用し、その遊星歯車装置の腕（Ａ）に作用した力を磁石回転体（Ｃ）の軸へと作用させる。
【発明の効果】
【００１５】遊星歯車装置の機構を利用することと、太陽歯車の軸（１Ａ）に新たな遊星歯車装置の腕（Ａ）を固着することで、回転比率の違った二つの遊星歯車装置の腕を設けることができ、その太陽歯車の軸（１Ａ）に固着した遊星歯車装置の腕（Ａ）に磁石回転体（Ｃ）を装着して、磁石回転体（Ｃ）の回転軸を中心から外すことにより、磁石回転体（Ｃ）を回転周回に導くことができる。【００１６】そして、磁石回転体（Ｃ）と磁石帯（Ｅ）における磁極と磁極の相対位置のずれから生じる磁石回転体（Ｃ）の作用する力は、その磁石回転体（Ｃ）に固着した遊星歯車（２Ｃ）から遊星歯車装置の腕（Ｂ）に固着した内歯車（３Ｂ）に作用し、また同時に、内歯車（３Ｂ）に作用する力は遊星歯車装置の腕（Ｂ）に作用する力でもあり、遊星歯車装置の腕（Ｂ）に作用する力は、遊星歯車装置の腕（Ｂ）に支持された遊星歯車（２Ｂ）の軸に作用する。【００１７】また前記、遊星歯車（２Ｂ）の軸に作用する力は、遊星歯車（２Ｂ）を介して太陽歯車（２Ａ）に作用し、同時に、太陽歯車（２Ａ）に作用する力は遊星歯車装置の腕（Ａ）に作用し、遊星歯車装置の腕（Ａ）に支持された磁石回転体（Ｃ）の軸に作用すると、磁石回転体（Ｃ）に固着した遊星歯車（２Ｃ）を回転移動させながら、磁石回転体（Ｃ）を周回運動に導くことができる。【００１８】そして、磁石回転体に生じる力はそれぞれの歯車と遊星歯車装置の腕を介して、磁石回転体（Ｃ）の軸に作用し、その力は、磁石回転体（Ｃ）と磁石帯（Ｅ）との次のずれを生み出す位置へと磁石回転体（Ｃ）を移動させ、その結果、磁石回転体（Ｃ）と磁石帯（Ｅ）に次の相対位置のずれが生じ、磁石回転体（Ｃ）と磁石帯（Ｅ）に新たな相互作用力が発生する。【００１９】また、力の伝達装置に歯車装置を使用することで、目的としている継続した持続性のある回転運動への位置取りを可能とし、図５−１〜図５−３６で示されるように、磁石回転体（Ｃ）と磁石帯（Ｅ）における磁極と磁極の一連の連続した相対位置のずれを発生させることができる。
【図面の簡単な説明】
【００２０】
【図１】この発明の一実施形態を示す図である。
【図２−１】〜［図２−３］図１における切断面▲１▼▲２▼▲３▼を示す図である。
【図３−１】〜［図３−３］磁石回転体（Ｃ）の磁力が遊星歯車（２Ｃ）に与える影響力を示す図である。
【図４】磁石回転体（Ｃ）の作用する力の伝達を示す図である。
【図５−１】〜［図５−３６］磁石回転体（Ｃ）と磁石帯（Ｅ）の相対位置のずれによる連続した回転の位置取りを示す図である
【発明を実施するための形態】
【００２１】この発明の実施形態を、図面を参照して説明する。
【００２２】図１は、一実施形態を示す図であり、台枠（Ｄ）には磁石帯（Ｅ）を固着して、遊星歯車装置の腕（Ｂ）には内歯車（３Ｂ）を固着し、また、太陽歯車（２Ａ）の軸（１Ａ）には別の遊星歯車装置の腕（Ａ）を固着する。そしてその遊星歯車装置の腕（Ａ）には遊星歯車（２Ｃ）を固着した磁石回転体（Ｃ）を装着する。
【００２３】図２−１は、図１における磁石回転体（Ｃ）と磁石帯（Ｅ）の磁極の配置配列と位置取りを示す切断面▲１▼である。そして相対し合う磁極と磁極に作用する磁石回転体（Ｃ）の磁力の合力（Ｆ）が太陽歯車（２Ａ）の回転軸（１Ａ）を中心とした接線方向に作用するための位置取りを示すものである。
【００２４】図２−２は図１における磁石回転体（Ｃ）に固着した遊星歯車（２Ｃ）と内歯車（２Ｂ）の噛み合い並びに位置取りを示す切断面▲２▼である。
【００２５】図２−３は図１における太陽歯車（２Ａ）並びに遊星歯車装置の腕（Ｂ）に支持された遊星歯車（２Ｂ）と台枠に固着した内歯車（３Ｄ）の噛み合いと位置取りを示す切断面▲３▼である。
【００２６】そして図３−１で示すように、遊星歯車装置において磁石回転体（Ｃ）に固着した遊星歯車（２Ｃ）に、磁力の合力（Ｆ）が作用するとき、磁石回転体（Ｃ）の軸には、磁石回転体（Ｃ）に固着した遊星歯車（２Ｃ）と内歯車（３Ｂ）の噛み合い点（点Ｐ）を支点とする力のモーメントが発生する。
【００２７】そして、磁石回転体（Ｃ）と磁石帯（Ｅ）の磁極間に生じる相互作用力において、磁石回転体（Ｃ）の任意の力が、磁石回転体（Ｃ）に固着した遊星歯車（２Ｃ）へ作用するとき、磁力の合力（Ｆ）が、遊星歯車（２Ｃ）と内歯車（３Ｂ）の噛み合い点（点Ｐ）より外側に作用する図である。
【００２８】この時、遊星歯車（２Ｃ）と内歯車（３Ｂ）の噛み合い点（点Ｐ）より外側に、左向きの磁力の合力（Ｆ）が作用すると、磁石回転体（Ｃ）の軸には、歯車の噛み合い点（点Ｐ）を支点とする時計回りの力のモーメントが発生し、磁石回転体（Ｃ）の軸を支持する遊星歯車装置の腕（Ａ）には、右方向への力（ＦＩ）が作用する。
【００２９】また、図３−２は、磁力の合力（Ｆ）が遊星歯車（２Ｃ）と内歯車（３Ｂ）の噛み合い点（点Ｐ）より内側に作用する図である。
【００３０】この時、遊星歯車（２Ｃ）と内歯車（３Ｂ）の噛み合い点（点Ｐ）より内側に、左向きの磁力の合力（Ｆ）が作用すると、磁石回転体（Ｃ）の軸には、歯車の噛み合い点（点Ｐ）を支点とする反時計回りの力のモーメントが発生し、磁石回転体（Ｃ）の軸を支持する遊星歯車装置の腕（Ａ）には、左方向への力（ＦＩＩ）が作用する。
【００３１】また、図３−３は、磁力の合力（Ｆ）が、遊星歯車（２Ｃ）と内歯車（３Ｂ）の噛み合い点（点Ｐ）に作用する図である。
【００３２】そして、図３−１と図３−２で示すように、遊星歯車と内歯車の噛み合い点（点Ｐ）は、磁石回転体（Ｃ）の軸に作用する力の方向の分岐点であり、随時、磁力の合力（Ｆ）が遊星歯車（２Ｃ）と内歯車（３Ｂ）の噛み合い点（点Ｐ）に作用するとき、力は遊星歯車装置の腕（Ｂ）に固着した内歯車（３Ｂ）に左方向への力（ＦＩＩＩ）が作用し，磁石回転体（Ｃ）の軸には回転モーメントは発生せず、磁石回転体（Ｃ）を支持する遊星歯車装置の腕（Ａ）には力が作用しない状態になる。
【００３３】次に、この発明の歯車装置の形態について、図２−２と図２−３を参照して説明する。
【００３４】図２−３で示すように、遊星歯車装置における≪太陽歯車（２Ａ）の歯数：遊星歯車（２Ｂ）の歯数：内歯車（３Ｄ）の歯数≫が≪１：１：３≫の比率のとき、太陽歯車（２Ａ）と遊星歯車（２Ｂ）の関係は、遊星歯車（２Ｂ）が内歯車（３Ｄ）の内法を１回転すると、太陽歯車（２Ａ）は元の位置から１回転と１／３回転する。
【００３５】これは、遊星歯車装置の腕（Ｂ）が１２０度回転すると、太陽歯車（２Ａ）の軸（１Ａ）に固着した遊星歯車装置の腕（Ａ）が４８０度回転し、遊星歯車装置の腕（Ｂ）と遊星歯車装置の腕（Ａ）との回転比率は≪１：４≫である。
【００３６】また同時に、遊星歯車装置の腕（Ｂ）に固着した内歯車（３Ｂ）が１２０度回転すると、遊星歯車装置の腕（Ａ）に支持される磁石回転体（Ｃ）に固着した遊星歯車（２Ｃ））も回転しながら内歯車（３Ｂ）の内法を４８０度周回する。
【００３７】そして図２−２で示すように≪磁石回転体（Ｃ）に固着する遊星歯車（２Ｃ））の歯数：遊星歯車装置の腕（Ｂ）に固着した内歯車（３Ｂ）の歯数≫を≪１：４≫の比率にすると、回転する内歯車（３Ｂ）の内法を磁石回転体（Ｃ）は回転しながら周回し、台枠（Ｄ）に対しては３回転で元の装着位置にもどる。
【００３８】そして、図５−１〜図５−３６は、磁石回転体（Ｃ）と磁石帯（Ｅ）の相対位置のずれによる連続した回転の位置取りを示すものであり、磁石回転体（Ｃ）と磁石帯（Ｅ）の磁極と磁極の一連の連続した相対位置のずれを形成するものである。
【実施形態の効果】
【００３９】本発明は、以上説明したように構成されているので、以下に記載されるような効果を奏する。
【００４０】図３−３で示すように、遊星歯車（２Ｃ）と内歯車（３Ｂ）の噛み合い点（点Ｐ）は、太陽歯車（２Ａ）に固着した遊星歯車装置の腕（Ａ）に作用する力の方向の分岐点であり、随時、磁石回転体（Ｃ）の磁力の合力（Ｆ）が遊星歯車（２Ｃ）と内歯車（３Ｂ）の噛み合い点（点Ｐ）に作用するとき、力は遊星歯車装置の腕（Ｂ）に固着した内歯車（３Ｂ）に作用し，遊星歯車（２Ｃ）を支持する遊星歯車装置の腕（Ａ）には力が作用しない状態になる。
【００４１】この時、磁石回転体（Ｃ）は、遊星歯車（２Ｃ）と内歯車（３Ｂ）の噛み合い点（点Ｐ）に固定された状態には無く、太陽歯車（２Ａ）に力が作用して、太陽歯車の軸（１Ａ）に固着した遊星歯車装置の腕（Ａ）に力のモーメントが生じれば、その遊星歯車装置の腕（Ａ）に支持される磁石回転体（Ｃ）は容易に回転させることができる不安定な状態である。
【００４２】そして、遊星歯車装置の腕（Ｂ）に内歯車（３Ｂ）を固着し、遊星歯車装置の腕（Ａ）に支持される磁石回転体（Ｃ）と遊星歯車（２Ｃ）を，遊星歯車装置の腕（Ｂ）に固着した内歯車（３Ｂ）に組み込み、図２−１で示すように、磁石回転体（Ｃ）と磁石帯（Ｅ）の磁極に相対位置のずれを与えると、磁石回転体（Ｃ）には相対位置に戻ろうとする力Ｆが発生する。
【００４３】その相対位置に戻ろうとする力Ｆが、遊星歯車（２Ｃ）と内歯車（３Ｂ）の噛み合い点（点Ｐ）に作用するとき、磁石回転体（Ｃ）の作用する任意の力は、遊星歯車装置の腕（Ｂ）に固着した内歯車（３Ｂ）に、また同時に、内歯車（３Ｂ）を介して遊星歯車装置の腕（Ｂ）から遊星歯車（２Ｂ）へ、遊星歯車（２Ｂ）から太陽歯車（２Ａ）へ、そしてまた、太陽歯車（２Ａ）を介して遊星歯車装置の腕（Ａ）に作用し、その作用する力を磁石回転体（Ｃ）の軸へ作用させることができる。
【００４４】これらは図４で示すように、磁石回転体（Ｃ）と磁石帯（Ｅ）における磁極と磁極の相対位置のずれから生じる磁石回転体（Ｃ）の作用する力を力Ｆとすると、その磁石回転体（Ｃ）に固着した遊星歯車（２Ｃ）が作用する力は、遊星歯車装置の腕（Ｂ）に固着した内歯車（３Ｂ）に力Ｆ１として作用し、同時に、内歯車（３Ｂ）に作用する力Ｆ１は遊星歯車装置の腕（Ｂ）に作用する力Ｆ１でもあり、遊星歯車装置の腕（Ｂ）に作用する力Ｆ１は、遊星歯車装置の腕（Ｂ）に支持された遊星歯車（２Ｂ）の軸に力Ｆ２として作用する。
【００４５】また、遊星歯車（２Ｂ）の軸に作用する力Ｆ２は、遊星歯車（２Ｂ）を介して太陽歯車（２Ａ）に力Ｆ３として作用し、同時に、太陽歯車（２Ａ）に作用する力Ｆ３は、遊星歯車装置の腕（Ａ）に支持された磁石回転体（Ｃ）の軸に力Ｆ４として作用することが説明でき、力Ｆ４は磁石回転体（Ｃ）の軸を回転移動させ、磁石回転体（Ｃ）を周回運動に導くことができる。
【００４６】そして、図２−２で示すように≪磁石回転体（Ｃ）に固着する遊星歯車（２Ｃ）：遊星歯車装置の腕（Ｂ）に固着した内歯車（３Ｂ）≫の歯車の歯数を≪１：４≫の比率にすると、内歯車（３Ｂ）が１２０度回転すると遊星歯車装置の腕（Ａ）が４８０度回転することから，磁石回転体（Ｃ）の軸も回転しながら４８０度周回し，磁石回転体（Ｃ）は回転する内歯車（３Ｂ）の内法に対して４回転しながら４８０度周回するので、台枠（Ｄ）に対して磁石回転体（Ｃ）は３回転で元の装着位置にもどる。
【００４７】そして、磁石回転体（Ｃ）と磁石帯（Ｄ）の位置取りが、図５−１〜図５−３６に示す位置取りを順次繰り返すとき、磁石回転体（Ｃ）と磁石帯（Ｄ）の磁極間に生じる相互作用力において、磁極と磁極の一連の連続した相対位置のずれが形成され、磁石回転体（Ｃ）を内歯車（３Ｂ）の内法に沿って回転させながら周回させることができ、歯車装置により継続した持続性のある回転運動への位置取りが確立され、磁石の磁力をエネルギー源とした回転機関である。
【産業上の利用可能性】
【００４８】回転装置の回転エネルギー源として、磁石の磁力を使用するため、エネルギー問題に一石を投じることができ、新たな幅広い産業を創出できる。
【符号の説明】
【００４９】Ａ      太陽歯車の軸に固着した新たな遊星歯車装置の腕
Ｂ      遊星歯車装置に付随する既存の遊星歯車装置の腕
Ｃ      遊星歯車装置の腕（Ａ）に装着した磁石回転体
Ｄ      台枠
Ｅ      台枠に固着した磁石帯
１Ａ    太陽歯車の軸
２Ａ    太陽歯車
２Ｂ    既存の遊星歯車装置の遊星歯車
２Ｃ    磁石回転体に固着した遊星歯車
３Ｂ    遊星歯車装置の腕（Ｂ）に固着した内歯車
３Ｄ    台枠に固着した内歯車
【図１】
2013046562.tif 000003
【図２−１】
2013046562.tif 000004
【図２−２】
2013046562.tif 000005
【図２−３】
2013046562.tif 000006
【図３−１】
2013046562.tif 000007
【図３−２】
2013046562.tif 000008
【図３−３】
2013046562.tif 000009
【図４】
2013046562.tif 000010
【図５−１】
2013046562.tif 000011
【図５−２】
2013046562.tif 000012
【図５−３】
2013046562.tif 000013
【図５−４】
2013046562.tif 000014
【図５−５】
2013046562.tif 000015
【図５−６】
2013046562.tif 000016
【図５−７】
2013046562.tif 000017
【図５−８】
2013046562.tif 000018
【図５−９】
2013046562.tif 000019
【図５−１０】
2013046562.tif 000020
【図５−１１】
2013046562.tif 000021
【図５−１２】
2013046562.tif 000022
【図５−１３】
2013046562.tif 000023
【図５−１４】
2013046562.tif 000024
【図５−１５】
2013046562.tif 000025
【図５−１６】
2013046562.tif 000026
【図５−１７】
2013046562.tif 000027
【図５−１８】
2013046562.tif 000028
【図５−１９】
2013046562.tif 000029
【図５−２０】
2013046562.tif 000030
【図５−２１】
2013046562.tif 000031
【図５−２２】
2013046562.tif 000032
【図５−２３】
2013046562.tif 000033
【図５−２４】
2013046562.tif 000034
【図５−２５】
2013046562.tif 000035
【図５−２６】
2013046562.tif 000036
【図５−２７】
2013046562.tif 000037
【図５−２８】
2013046562.tif 000038
【図５−２９】
2013046562.tif 000039
【図５−３０】
2013046562.tif 000040
【図５−３１】
2013046562.tif 000041
【図５−３２】
2013046562.tif 000042
【図５−３３】
2013046562.tif 000043
【図５−３４】
2013046562.tif 000044
【図５−３５】
2013046562.tif 000045
【図５−３６】
2013046562.tif 000046